(57)【特許請求の範囲】
【請求項１】
相対する長辺側壁に幅広ポケットと幅狭支脚のペア及び幅狭ポケットと幅広支脚のペアが形成されており、且つ、下方の運搬用容器の前記ポケットに、上方の運搬用容器の前記支脚を挿入することにより、上方の運搬用容器を下方の運搬用容器にネスティングするとともに、上方の運搬用容器の前記支脚を、下方の運搬用容器のフランジに載置することによりスタッキングすることが可能な運搬用容器において、スライドスタッキングする上方の運搬用容器の幅広支脚が乗り越える、下方の運搬用容器の幅狭ポケットに隣接し、且つ、幅広支脚の上方に位置するフランジに、幅狭ポケットの開口部に連続するとともに、フランジより一段下がった段部を形成することにより、上方の運搬用容器の幅広支脚が、下方の運搬用容器の幅狭ポケットを乗り越える際に、上方の運搬用容器の幅広支脚のスライド方向に位置する下端角部が、下方の運搬用容器の幅狭ポケットのスライド方向の内壁に当接しないように構成されていることを特徴とする運搬用容器。
【請求項２】
相対する長辺側壁には、幅広ポケットと幅狭支脚のペア及び幅狭ポケットと幅広支脚のペアが形成され、また、相対する短辺側壁には、支脚とポケットのペアが形成されており、且つ、下方の運搬用容器の前記ポケットに、上方の運搬用容器の前記支脚を挿入することにより、上方の運搬用容器を下方の運搬用容器にネスティングするとともに、上方の運搬用容器の前記支脚を、下方の運搬用容器のフランジに載置することによりスタッキングすることが可能な運搬用容器において、スライドスタッキングする上方の運搬用容器の幅広支脚が乗り越える、下方の運搬用容器の幅狭ポケットに隣接し、且つ、幅広支脚の上方に位置するフランジに、幅狭ポケットの開口部に連続するとともに、フランジより一段下がった段部を形成することにより、上方の運搬用容器の幅広支脚が、下方の運搬用容器の幅狭ポケットを乗り越える際に、上方の運搬用容器の幅広支脚のスライド方向に位置する下端角部が、下方の運搬用容器の幅狭ポケットのスライド方向の内壁に当接しないように構成されており、また、上方の運搬用容器の幅広支脚が載置され、上方の運搬用容器を上方に持ち上げるための段部に形成された山部と、下方の運搬用容器の短辺側壁に形成された支脚の上方に位置するフランジに形成された、短辺側壁の支脚の下端部が挿入される段部とにより、上方の運搬用容器のスライド方向前方に位置する短辺側壁に形成された支脚のスライド方向に位置する下端角部が、下方の運搬用容器の短辺側壁に当接しないように構成されていることを特徴とする運搬用容器。
【請求項３】
幅広支脚の下面に、幅狭ポケットに隣接したフランジに形成された段部に突設された山部に嵌合する嵌合凹部を形成したことを特徴とする請求項２に記載の運搬用容器。
【請求項４】
幅狭支脚の上方に位置するフランジに、幅広ポケットの開口部に連続するとともに、上記フランジより一段下がった段部を形成したことを特徴とする請求項２に記載の運搬用容器。
【請求項５】
幅狭支脚の下面に、幅広ポケットの開口部に連続して形成された段部に嵌合する嵌合突部を形成したことを特徴とする請求項４に記載の運搬用容器。
【請求項６】
相対する長辺側壁には、幅広ポケットと幅狭支脚のペア及び幅狭ポケットと幅広支脚のペアが形成され、また、相対する短辺側壁には、支脚とポケットのペアが形成されており、且つ、下方の運搬用容器の前記ポケットに、上方の運搬用容器の前記支脚を挿入することにより、上方の運搬用容器を下方の運搬用容器にネスティングするとともに、上方の運搬用容器の前記支脚を、下方の運搬用容器のフランジに載置することによりスタッキングすることが可能な運搬用容器において、スライドスタッキングする上方の運搬用容器の幅広支脚が乗り越える、下方の運搬用容器の幅狭ポケットに隣接した幅広支脚の上方に位置するフランジの上面には、上方の運搬用容器の幅広支脚が乗り上げて、上方の運搬用容器が上昇するように構成された、長辺側壁から見た形状が山形状の突起が形成されているとともに、下方の運搬用容器の幅広ポケットに隣接した幅狭支脚の上方に位置するフランジの上面にも、上方の運搬用容器の幅狭支脚が乗り上げて、上方の運搬用容器が上昇するように構成された、長辺側壁から見た形状が山形状の突起が形成されていることを特徴とする運搬用容器。
【請求項７】
幅広支脚の下面に、幅広支脚の上方に位置するフランジの上面に形成された突起に嵌合する嵌合凹部を形成したことを特徴とする請求項６に記載の運搬用容器。
【請求項８】
幅狭ポケットに隣接した容器中央寄りのフランジに、突起を突設したことを特徴とする請求項６又は請求項７に記載の運搬用容器。
【発明の詳細な説明】
【０００１】
【発明の属する技術分野】
本発明は、相対する長辺側壁と相対する短辺側壁と底部とからなる平面形状が略矩形状の運搬用容器（以下、単に、「容器」ともいう。）を、上下に積み重ねた際に、上方の容器の略下半分が、下方の容器に嵌合される状態（以下、このような状態を、「ネスティング状態」或いは、単に、「ネスティング」という。）と、上方の容器の下部が、下方の容器の開口部に沿って形成されたフランジに載置される状態（以下、このような状態を、「スタッキング状態」或いは、単に、「スタッキング」という。）とに選択可能な運搬用容器に関するものである。
【０００２】
【従来の技術】
従来、容器の側壁の略上半分を、所定の幅に亘って外側に膨出させて、ポケットを形成するとともに、容器の側壁の少なくとも下半分に、側壁の外面から突出した支脚を形成し、ネスティングの際には、上方の容器の支脚が、下方の容器のポケットに挿入され、また、スタッキングの際には、上方の容器の支脚が、下方の容器のフランジに載置されるようにした運搬用容器が知られている。そして、このような容器をスタッキングする際には、上方の容器の一方の短辺側壁の上部を持ち上げて傾斜させるとともに、上方の容器の長辺側壁に形成された、スライド方向前方に位置する支脚を、下方の容器の長辺側の開口部に形成されたフランジ上をスライドさせながら、上方の容器を、下方の容器にスタッキングさせるという、所謂、スライドスタッキングが行われている。
【０００３】
【発明が解決しようとする課題】
上述したスライドスタッキングの際には、上方の容器の持ち上げられた短辺側壁と相対する、もう一方の短辺側壁に形成された支脚の下端角部が、スタッキングの直前において、下方の容器の短辺側壁の内壁上端に当接するために、スムースなスライドスタッキングを行うことができないという問題がある。
【０００４】
また、スライドスタッキングの際には、下方の容器の長辺側に形成されたフランジ上をスライドする、上方の容器の長辺側壁に形成された支脚が、上記下方の容器の長辺側のフランジに形成されているポケットを乗り越える場合がある。この場合に、上方の容器の長辺側壁に形成された、スライド方向前方に位置する支脚の下端角部が、上記下方の容器のポケットの乗り越え終了直前において、該ポケットの内壁上端に当接するために、スムースなスライドスタッキングを行うことができないという問題がある。
【０００５】
本発明の目的は、上述した従来の運搬用容器が有する課題を解決するとともに、その取扱性の向上した運搬用容器を提供することにある。
【０００６】
【課題を解決するための手段】
本発明は、上述した目的を達成するために、第１には、相対する長辺側壁に幅広ポケットと幅狭支脚のペア及び幅狭ポケットと幅広支脚のペアが形成されており、且つ、下方の運搬用容器の前記ポケットに、上方の運搬用容器の前記支脚を挿入することにより、上方の運搬用容器を下方の運搬用容器にネスティングするとともに、上方の運搬用容器の前記支脚を、下方の運搬用容器のフランジに載置することによりスタッキングすることが可能な運搬用容器において、スライドスタッキングする上方の運搬用容器の幅広支脚が乗り越える、下方の運搬用容器の幅狭ポケットに隣接し、且つ、幅広支脚の上方に位置するフランジに、幅狭ポケットの開口部に連続するとともに、フランジより一段下がった段部を形成することにより、上方の運搬用容器の幅広支脚が、下方の運搬用容器の幅狭ポケットを乗り越える際に、上方の運搬用容器の幅広支脚のスライド方向に位置する下端角部が、下方の運搬用容器の幅狭ポケットのスライド方向の内壁に当接しないように構成したものであり、第２には、相対する長辺側壁には、幅広ポケットと幅狭支脚のペア及び幅狭ポケットと幅広支脚のペアが形成され、また、相対する短辺側壁には、支脚とポケットのペアが形成されており、且つ、下方の運搬用容器の前記ポケットに、上方の運搬用容器の前記支脚を挿入することにより、上方の運搬用容器を下方の運搬用容器にネスティングするとともに、上方の運搬用容器の前記支脚を、下方の運搬用容器のフランジに載置することによりスタッキングすることが可能な運搬用容器において、スライドスタッキングする上方の運搬用容器の幅広支脚が乗り越える、下方の運搬用容器の幅狭ポケットに隣接し、且つ、幅広支脚の上方に位置するフランジに、幅狭ポケットの開口部に連続するとともに、フランジより一段下がった段部を形成することにより、上方の運搬用容器の幅広支脚が、下方の運搬用容器の幅狭ポケットを乗り越える際に、上方の運搬用容器の幅広支脚のスライド方向に位置する下端角部が、下方の運搬用容器の幅狭ポケットのスライド方向の内壁に当接しないように構成されており、また、上方の運搬用容器の幅広支脚が載置され、上方の運搬用容器を上方に持ち上げるための段部に形成された山部と、下方の運搬用容器の短辺側壁に形成された支脚の上方に位置するフランジに形成された、短辺側壁の支脚の下端部が挿入される段部とにより、上方の運搬用容器のスライド方向前方に位置する短辺側壁に形成された支脚のスライド方向に位置する下端角部が、下方の運搬用容器の短辺側壁に当接しないように構成したものであり、第３には、幅広支脚の下面に、幅狭ポケットに隣接したフランジに形成された段部に突設された山部に嵌合する嵌合凹部を形成したものであり、第４には、相対する長辺側壁に形成された幅狭支脚の上方に位置するフランジに、幅広ポケットの開口部に連続するとともに、上記フランジより一段下がった段部を形成したものであり、第５には、幅狭支脚の下面に、幅広ポケットの開口部に連続して形成された段部に嵌合する嵌合突部を形成したものであり、第６には、相対する長辺側壁には、幅広ポケットと幅狭支脚のペア及び幅狭ポケットと幅広支脚のペアが形成され、また、相対する短辺側壁には、支脚とポケットのペアが形成されており、且つ、下方の運搬用容器の前記ポケットに、上方の運搬用容器の前記支脚を挿入することにより、上方の運搬用容器を下方の運搬用容器にネスティングするとともに、上方の運搬用容器の前記支脚を、下方の運搬用容器のフランジに載置することによりスタッキングすることが可能な運搬用容器において、スライドスタッキングする上方の運搬用容器の幅広支脚が乗り越える、下方の運搬用容器の幅狭ポケットに隣接した幅広支脚の上方に位置するフランジの上面には、上方の運搬用容器の幅広支脚が乗り上げて、上方の運搬用容器が上昇するように構成された、長辺側壁から見た形状が山形状の突起が形成されているとともに、下方の運搬用容器の幅広ポケットに隣接した幅狭支脚の上方に位置するフランジの上面にも、上方の運搬用容器の幅狭支脚が乗り上げて、上方の運搬用容器が上昇するように構成された、長辺側壁から見た形状が山形状の突起を形成したものであり、第７には、幅広支脚の下面に、幅広支脚の上方に位置するフランジの上面に形成された突起に嵌合する嵌合凹部を形成したものであり、第８には、幅狭ポケットに隣接した容器中央寄りのフランジに、突起を突設したものである。
【０００７】
【実施例】
先ず最初に、本発明の運搬用容器の斜視図である図１を用いて、本発明の運搬用容器の全体構成について説明する。
【０００８】
容器Ｂは、相対する長辺側壁１ａ、１ｂ、相対する短辺側壁２ａ、２ｂ及び底部３とを有しており、また、長辺側壁１ａ、１ｂ及び短辺側壁２ａ、２ｂの上端には、該上端から水平方向に外側に延在するフランジ４が、容器Ｂの開口部を囲むように形成されている。また、長辺側壁１ａ、１ｂ及び短辺側壁２ａ、２ｂは、容器Ｂの開口部に向かって、外側に傾斜して形成されている。
【０００９】
相対する長辺側壁１ａ、１ｂの一方の相対する端部付近の外面には、長辺側壁１ａ、１ｂの少なくとも下半分に亘って幅広支脚ｃ１が形成されており、そして、該幅広支脚ｃ１の容器中央寄りには、長辺側壁１ａ、１ｂを、所定の幅に亘って、外側に膨出させることにより形成された、容器Ｂの略半分の深さを有する幅狭ポケットｐ１が形成されている。また、容器Ｂの相対する長辺側壁１ａ、１ｂのもう一方の相対する端部付近には、長辺側壁１ａ、１ｂを、所定の幅に亘って、外側に膨出させることにより形成された、容器Ｂの略半分の深さを有する幅広ポケットｐ２が形成されており、該幅広ポケットｐ２の容器中央寄りの長辺側壁１ａ、１ｂの外面には、長辺側壁１ａ、１ｂの少なくとも下半分に亘って幅狭支脚ｃ２が形成されている。なお、幅広支脚ｃ１と幅狭支脚ｃ２の具体的な構造については後述する。
【００１０】
容器Ｂの相対する短辺側壁２ａ、２ｂの一方の短辺側壁２ａの両端部付近の外面には、短辺側壁２ａの少なくとも下半分に亘って、所定の幅の支脚ｃ３が形成されており、そして、該支脚ｃ３の容器中央寄りには、短辺側壁２ａを、所定の幅に亘って、外側に膨出させることにより形成された、容器Ｂの略半分の深さを有する一対のポケットｐ３が形成されている。また、もう一方の短辺側壁２ｂの両端部付近には、上記支脚ｃ３と相対するように、上記ポケットｐ３と同様のポケットｐ４が形成されており、そして、該もう一方の短辺側壁２ｂの両端部付近に形成されたポケットｐ４の容器中央寄りには、上記のポケットｐ３と相対するように、上記支脚ｃ３と同様の支脚ｃ４が形成されている。
【００１１】
なお、上述した長辺側壁１ａ、１ｂに形成された幅広支脚ｃ１、幅狭支脚ｃ２及び短辺側壁２ａ、２ｂに形成された支脚ｃ３、ｃ４の長辺側壁１ａ、１ｂ側及び短辺側壁２ａ、２ｂ側の下面には、スタッキングした際に、下方の容器Ｂの開口部に嵌合可能なスタックリブｓ１、ｓ２、ｓ３、ｓ４が、それぞれ、形成されている。このようなスタックリブｓ１、ｓ２、ｓ３、ｓ４を形成することにより、スタッキングした際に、下方の容器Ｂの開口部に、その底部３が嵌合される上方の容器Ｂの水平方向の移動が制限され、多数の容器Ｂを、多段に、安定してスタッキングすることができる。５は、容器Ｂを囲むように、フランジ４の下方に形成された水平リブであり、６は、フランジ４と水平リブ５の間の適当な位置に形成された垂直リブである。このような水平リブ５や垂直リブ６は、適宜、省略することもできる。
【００１２】
上述した、相対する長辺側壁１ａ、１ｂの一方の相対する端部付近の外面に形成された幅狭支脚ｃ２の上方に位置するフランジ４には、フランジ４の外周縁４’を残して、幅広ポケットｐ２の開口部に連続するとともに、フランジ４より一段下がった段部４ａが形成されている。また、相対する長辺側壁１ａ、１ｂのもう一方の相対する端部付近の外面に形成された幅広支脚ｃ１の上方に位置するフランジ４には、フランジ４の外周縁４’を残して、幅狭ポケットｐ１の開口部に連続するとともに、フランジ４より一段下がった段部４ｂが形成されており、該段部４ｂの底面の略中央部には、その頂部が、フランジ４の上面と面一な山部４ｂ’が形成されている。
【００１３】
上述した、相対する短辺側壁２ａ、２ｂの一方の短辺側壁２ａの両端部付近の外面に形成された支脚ｃ３の上方に位置するフランジ４と短辺側壁２ａの内壁２ａ’とにより形成される角部には、フランジ４の外周縁４’を残して、短辺側壁２ａに形成されたポケットｐ３に連続するとともに、フランジ４より一段下がった段部４ｃが形成されている。また、相対する短辺側壁２ａ、２ｂのもう一方の短辺側壁２ｂの両端部付近の外面に形成された支脚ｃ４の上方に位置するフランジ４と短辺側壁２ｂの内壁２ｂ’とにより形成される角部にも、フランジ４の外周縁４’を残して、短辺側壁２ｂに形成されたポケットｐ４に連続するとともに、フランジ４より一段下がった、上記段部４ｃと同様の段部４ｄが形成されている。この段部４ｃ、４ｄの短辺側壁２ａ、２ｂの幅方向に沿った長さは、短辺側壁２ａ、２ｂの外面に形成された支脚ｃ３、ｃ４の幅より、若干、長く形成されている。
【００１４】
上述した、相対する長辺側壁１ａ、１ｂの一方の相対する端部付近の外面に形成された幅狭支脚ｃ２のポケットｐ２寄りの下面の略半分には、スタッキングの際に、下方の容器Ｂの幅広ポケットｐ２の開口部に連続して形成された段部４ａに嵌合する嵌合突部ｃ２’が形成されている。また、相対する長辺側壁１ａ、１ｂのもう一方の相対する端部付近の外面に形成された幅広支脚ｃ１の下面には、スタッキングの際に、下方の容器Ｂの幅狭ポケットｐ１の開口部に連続して形成された段部４ｂに設けられた山部４ｂ’が嵌合する嵌合凹部ｃ１’が形成されている。
【００１５】
図２には、一番下方の容器Ｂ３と真ん中の容器Ｂ２が、スタッキングが完了したスタッキング状態にあり、一番上方の容器Ｂ１が、直ぐ下に位置する真ん中の容器Ｂ２のフランジ４に沿ってスライドスタッキングしている状態が示されている。なお、真ん中の容器Ｂ２は、短辺側壁２ａ、２ｂに形成されたポケットｐ３、ｐ４に沿った垂直断面として示されている。
【００１６】
相対する長辺側壁１ａ、１ｂの一方の長辺側壁１ｂから見て、一番下方の容器Ｂ３と真ん中の容器Ｂ２の幅広支脚ｃ１と幅狭ポケットｐ１のペアが、共に、図２に示されているように、右側に位置し、また、一番下方の容器Ｂ３と真ん中の容器Ｂ２の幅広ポケットｐ２と幅狭支脚ｃ２のペアが、共に、図２に示されているように、左側に位置する場合には、即ち、上方の容器Ｂ２と下方の容器Ｂ３とが、同方向に積み重ねられた場合には、上方の容器Ｂ２の長辺側壁１ａ、１ｂに形成された幅広支脚ｃ１と幅狭支脚ｃ２及び上方の容器Ｂ２の短辺側壁２ａ、２ｂに形成された支脚ｃ３、ｃ４が、下方の容器Ｂ３のフランジ４に載置されたスタッキング状態となる（このようなスタッキングを、一般に、同方向スタッキングと称する。）。また、上方の容器Ｂ２と下方の容器Ｂ３とが、同方向に積み重ねられた状態から、一方の容器Ｂを、１８０°回転させると、上方の容器Ｂ２の長辺側壁１ａ、１ｂに形成された幅広支脚ｃ１が、下方の容器Ｂ３の長辺側壁１ａ、１ｂに形成された幅広ポケットｐ２に挿入され、また、上方の容器Ｂ２の長辺側壁１ａ、１ｂに形成された幅狭支脚ｃ２が、下方の容器Ｂ３の長辺側壁１ａ、１ｂに形成された幅狭ポケットｐ１に挿入され、更に、上方の容器Ｂ２の一方の短辺側壁２ａに形成された支脚ｃ３が、下方の容器Ｂ３のもう一方の短辺側壁２ｂに形成されたポケットｐ４に挿入され、更にまた、上方の容器Ｂ２のもう一方の短辺側壁２ｂに形成された支脚ｃ４が、下方の容器Ｂ３の一方の短辺側壁２ａに形成されたポケットｐ３に挿入されたネスティング状態となる（このようなネスティングを、一般に、異方向ネスティングと称する。）。
【００１７】
スライドスタッキングにより、上述したスタッキング状態に容器Ｂを積み重ねる手段としては、図２に示されているように、上方の容器Ｂ１の長辺側壁１ａ、１ｂに形成された幅広ポケットｐ２側に位置する短辺側壁２ａを、上方に持ち上げるとともに、上方の容器Ｂ１のスライド方向前方に位置する長辺側壁１ａ、１ｂに形成された幅広支脚ｃ１を、下方の容器Ｂ２のフランジ４に載置して、上方の容器Ｂ１を、下方の容器Ｂ２に対して、図２において、右方向に移動させることにより、スライドスタッキングする場合と、逆に、上方の容器Ｂ１の長辺側壁１ａ、１ｂに形成された幅広支脚ｃ１側に位置する短辺側壁２ｂを、上方に持ち上げるとともに、上方の容器Ｂ１のスライド方向前方に位置する長辺側壁１ａ、１ｂに形成された幅狭支脚ｃ２を、下方の容器Ｂ２のフランジ４に載置して、上方の容器Ｂ１を、下方の容器Ｂ２に対して、図２において、左方向に移動させることにより、スライドスタッキングする場合とがある。
【００１８】
上述した、上方の容器Ｂ１の長辺側壁１ａ、１ｂに形成された幅広ポケットｐ２側に位置する短辺側壁２ａを、上方に持ち上げるとともに、上方の容器Ｂ１の長辺側壁１ａ、１ｂに形成された幅広支脚ｃ１を、下方の容器Ｂ２のフランジ４に載置して、上方の容器Ｂ１を、下方の容器Ｂ２に対して、右方向に移動させるスライドスタッキングの場合には、上方の容器Ｂ１の長辺側壁１ａ、１ｂに形成された幅広支脚ｃ１は、下方の容器Ｂ２の長辺側壁１ａ、１ｂに形成された幅狭ポケットｐ１を乗り越えるとともに、従来の容器においては、スライド方向前方に位置する短辺側壁２ｂに形成された支脚ｃ４の下端角部ｃ４’が、スタッキング直前において、下方の容器Ｂ２の短辺側壁２ｂの内壁２ｂ’の上端部に当接することになる。
【００１９】
上述した、上方の容器Ｂ１の長辺側壁１ａ、１ｂに形成された幅広支脚ｃ１が、下方の容器Ｂ２の長辺側壁１ａ、１ｂに形成された幅狭ポケットｐ１を乗り越える際には、下方の容器Ｂ２には、長辺側壁１ａ、１ｂに形成された幅狭ポケットｐ１に連続して、フランジ４より低い段部４ｂが形成されているので、図３に示されているように、上方の容器Ｂ１の長辺側壁１ａ、１ｂに形成された幅広支脚ｃ１のスライド方向に位置する下端角部ｃ１”が、下方の容器Ｂ２の幅狭ポケットｐ１のスライド方向の内壁ｐ１’の上端部に当接することがないので、スムースに、下方の容器Ｂ２の幅狭ポケットｐ１を乗り越えることができる。次いで、上方の容器Ｂ１の長辺側壁１ａ、１ｂに形成された幅広支脚ｃ１は、図４に示されているように、下方の容器Ｂの段部４ｂに形成された山部４ｂ’に載置されて上方に持ち上げられるとともに、下方の容器Ｂの短辺側壁２ｂに形成された支脚ｃ４の上方に位置するフランジ４には、段部４ｄが形成されているので、上方の容器Ｂ１のスライド方向前方に位置する短辺側壁２ｂに形成された支脚ｃ４のスライド方向に位置する下端角部ｃ４’は、図５に示されているように、短辺側壁２ｂの内壁２ｂ’の上端部に当接することなく、従って、上方の容器Ｂ１は、スムースに、下方の容器Ｂにスタッキングされることになる。また、スタッキングが終了した時点では、図６に示されているように、上方の容器Ｂ１の長辺側壁１ａ、１ｂに形成された幅広支脚ｃ１の下面に形成された嵌合凹部ｃ１’が、下方の容器Ｂ２の段部４ｂに形成された山部４ｂ’に嵌合するので、安定したスタッキングが実現できる。
【００２０】
なお、上述した実施例においては、幅狭ポケットｐ１の開口部に連続するとともに、フランジ４より一段下がった段部４ｂを形成し、該段部４ｂの底面の略中央部に山部４ｂ’を形成した例を示したが、図５の点線で示されているように、幅狭ポケットｐ１のスライド方向の内壁ｐ１’から山部４ｂ’の頂部に向かって傾斜した傾斜面４ｂ”を形成し、上方の容器Ｂ１の長辺側壁１ａ、１ｂに形成された幅広支脚ｃ１のスライド方向に位置する下端角部ｃ１”が、上記の傾斜面４ｂ”に当接した後、該傾斜面４ｂ”に沿って、スライド方向前方にスムースに移行するように構成することもできる。
【００２１】
また、図７に示されているように、逆に、上方の容器Ｂ１の長辺側壁１ａ、１ｂに形成された幅広支脚ｃ１側に位置する短辺側壁２ｂを、上方に持ち上げるとともに、上方の容器Ｂ１のスライド方向前方に位置する長辺側壁１ａ、１ｂに形成された幅狭支脚ｃ２を、下方の容器Ｂ２のフランジ４に載置して、上方の容器Ｂ１を、下方の容器Ｂ２に対して、図２において、左方向に移動させる場合には、上方の容器Ｂ１のスライド方向前方に位置する長辺側壁１ａ、１ｂに形成された幅狭支脚ｃ２は、下方の容器Ｂ２の長辺側壁１ａ、１ｂに形成された幅広ポケットｐ２を乗り越えることはないが、図８に示されているように、該幅広ポケットｐ２の開口部に連続した段部４ａに落ち込むことになる。この際に、スタッキング直前の上方の容器Ｂ１のスライド方向前方の短辺側壁２ａに形成された支脚ｃ３の下端角部ｃ３’は、下方の容器Ｂ２の短辺側壁２ａのポケットｐ３に連続した段部４ｃにより、下方の容器Ｂ２の短辺側壁２ａの内壁２ａ’の上端部への当接が回避されて、該下方の容器Ｂ２の短辺側壁２ａの内壁２ａ’に当接することがないので、上方の容器Ｂ１は、スムースに、下方の容器Ｂにスタッキングされることになる。また、スタッキングが終了した時点では、上方の容器Ｂ１の長辺側壁１ａ、１ｂに形成された幅狭支脚ｃ２の下面に形成された嵌合突部ｃ２’が、下方の容器Ｂ２の幅広ポケットｐ２の開口部に連続して形成された段部４ａと嵌合するので、安定したスタッキングが実現できる。
【００２２】
次に、図９〜図１２を用いて、本発明の別の実施例について説明する。
【００２３】
この実施例においては、上述した実施例の幅狭ポケットｐ１の開口部に連続して形成された段部４ｂを設けることなく、幅狭ポケットｐ１の容器中央寄りと反対側で、幅広支脚ｃ１の上方に位置するフランジ４の上面に、円弧状突起４ｅを設けるとともに、同様に、幅広ポケットｐ２の開口部に連続して形成された段部４ａを設けることなく、幅広ポケットｐ２の容器中央寄りで、幅狭支脚ｃ２の上方に位置するフランジ４の上面に、円弧状突起４ｆを設けたものである。また、短辺側壁２ａ、２ｂに形成された段部４ｃ、４ｄは形成されていない。なお、幅広支脚ｃ１及び幅狭支脚ｃ２の下面には、上述した実施例と同様に、嵌合凹部ｃ１’及び嵌合突部ｃ２’が形成されている。
【００２４】
このように、幅狭ポケットｐ１の容器中央寄りと反対側で、幅広支脚ｃ１の上方に位置するフランジ４の上面に、円弧状突起４ｅが突設され、また、幅広ポケットｐ２の容器中央寄りで、幅狭支脚ｃ２の上方に位置するフランジ４の上面に、円弧状突起４ｆが突設されているので、図１０に示されているように、右方向にスライドスタッキングする際には、上方の容器Ｂ１の幅広支脚ｃ１の下面が、下方の容器Ｂ２の幅狭ポケットｐ１のフランジ４に突設された上記の円弧状突起４ｅに乗り上げて、上昇するので、スタッキング完了直前において、図１１に示されているように、下方の容器Ｂ２の短辺側壁２ｂに段部４ｄを形成しなくても、上方の容器Ｂ１のスライド方向前方に位置する短辺側壁２ｂに形成された支脚ｃ４の下端角部ｃ４’が、下方の容器Ｂ２の短辺側壁２ｂの内壁２ｂ’の上端部に当接するようなことがない。なお、図１１に示されているように、下方の容器Ｂ２の短辺側壁２ａに段部４ｄを形成する代わりに、容器Ｂの内側に向かって下方に傾斜する傾斜面４ｇを形成することにより、上方の容器Ｂ１のスライド方向前方に位置する短辺側壁２ｂに形成された支脚ｃ４の下端角部ｃ４’が、下方の容器Ｂ２の短辺側壁２ｂの内壁２ｂ’の上端部に当接した場合にも、上記支脚ｃ４の下端角部ｃ４’が、下方の容器Ｂ２の傾斜面４ｇに沿って移動し、従って、容易に、下方の容器Ｂ２のフランジ４に乗り上げることができるように構成することもできる。なお、スタッキングが終了した時点では、図１２に示されているように、上方の容器Ｂ１の幅広支脚ｃ１の下面に形成された嵌合凹部ｃ１’と、下方の容器Ｂ２のフランジ４に突設された円弧状突起４ｅとが嵌合するので、安定したスタッキングが実現できる。
【００２５】
同様に、左方向にスライドスタッキングする際にも、上方の容器Ｂ１の幅狭支脚ｃ２の下面が、下方の容器Ｂ２の幅広ポケットｐ２に隣接したフランジ４に突設された上記の円弧状突起４ｆに乗り上げて、上昇するので、スタッキング完了直前において、上方の容器Ｂ１のスライド方向前方に位置する短辺側壁２ａに形成された支脚ｃ３の下端角部ｃ３’が、下方の容器Ｂ２の短辺側壁２ａの内壁２ａ’の上端部に当接するようなことがない。なお、図９に示されているように、下方の容器Ｂ２の短辺側壁２ａに段部４ｃを形成する代わりに、容器Ｂの内側に向かって下方に傾斜する、上述した傾斜面４ｇと同様の傾斜面４ｈを形成することにより、上方の容器Ｂ１のスライド方向前方に位置する短辺側壁２ａに形成された支脚ｃ３の下端角部ｃ３’が、下方の容器Ｂ２の短辺側壁２ａの内壁２ａ’の上端部に当接した場合にも、上記支脚ｃ３の下端角部ｃ３’が、下方の容器Ｂ２の傾斜面４ｈに沿って移動し、従って、容易に、下方の容器Ｂ２のフランジ４に乗り上げることができるように構成することもできる。なお、スタッキングが終了した時点では、上方の容器Ｂ１の幅狭支脚ｃ２の下面に形成された嵌合突部ｃ２’の、図９において右側に位置する凹部ｃ２”と、下方の容器Ｂ２のフランジ４に突設された円弧状突起４ｆの、図９において左側の斜面４ｆ’とが嵌合するように構成されているので、安定したスタッキングが実現できる。
【００２６】
なお、上述した実施例においては、フランジ４に突設された突起４ｅ、４ｆを円弧状突起として説明したが、下方の容器Ｂ２の短辺側壁、２ａ、２ｂの内壁２ａ’２ｂ’の上端部に当接しないように、スライドスタッキングの際に、上方の容器Ｂ１の幅広支脚ｃ１、幅狭支脚ｃ１が乗り上げて、上昇するものであれば、長辺側壁１ａ、１ｂから見た形状が円弧状に限定されるものではなく、台形状や三角形状や山形等の種々の形状の突起とすることができる。
【００２７】
図１３及び図１４に示されている実施例は、長辺側壁１ａ、１ｂに形成された幅狭ポケットｐ１に隣接した容器中央寄りのフランジ４に、突起４ｉを突設したものである。このような突起４ｉを形成したので、スライドスタッキングしている上方の容器Ｂ１の長辺側壁１ａ、１ｂに形成された幅広支脚ｃ１が、下方の容器Ｂ２の長辺側壁１ａ、１ｂに形成された幅狭ポケットｐ１を乗り越える際には、図１４に示されているように、上方の容器Ｂ１の長辺側壁１ａ、１ｂに形成された幅広支脚ｃ１が、下方の容器Ｂ２の長辺側壁１ａ、１ｂに形成された幅狭ポケットｐ１に達した時点で、下方の容器Ｂ２のフランジ４に突設された突起４ｉに乗り上げて上昇するので、上方の容器Ｂ１の長辺側壁１ａ、１ｂに形成された幅広支脚ｃ１のスライド方向に位置する下端角部ｃ１”が、下方の容器Ｂ２の幅狭ポケットｐ１のスライド方向の内壁ｐ１’の上端部に当接することが、より確実に回避できるので、よりスムースに、下方の容器Ｂ２の幅狭ポケットｐ１を乗り越えることができる。このような突起４ｉは、上述した図１或いは図９に示されている容器Ｂにも適用できる。
【００２８】
図１５及び図１６に示されている実施例は、長辺側壁１ａ、１ｂに形成された幅広支脚ｃ１の嵌合凹部ｃ１’を挟んで位置する幅広支脚ｃ１の２つの底面ｃ１ａ、ｃ１ｂのうち、隣接する幅狭ポケットｐ１に対して遠い方に位置する底面ｃ１ｂ、換言すれば、短辺側壁２ｂ側の底面ｃ１ｂを、隣接する幅狭ポケットｐ１に対して近い方に位置する底面ｃ１ａに比べて、所定の高さ（ｈ）だけ、切欠いて高くしたものである。このように構成することにより、スライドスタッキングしている上方の容器Ｂ１の長辺側壁１ａ、１ｂに形成された幅広支脚ｃ１が、下方の容器Ｂ２の長辺側壁１ａ、１ｂに形成された幅狭ポケットｐ１を乗り越える際に、図１６に示されているように、スライド方向前方に位置する、所定の高さ（ｈ）だけ、切欠かれた幅広支脚ｃ１の底面ｃ１ｂが、下方の容器Ｂ２の幅狭ポケットｐ１のスライド方向の内壁ｐ１’の上端部に当接することが、より確実に回避できるので、よりスムースに、下方の容器Ｂ２の幅狭ポケットｐ１を乗り越えることができる。このような構成は、上述した図１或いは図９に示されている容器Ｂにも適用できる。
【００２９】
上述した実施例の説明において使用した用語「幅広」や「幅狭」は、相対的なものであり、幅広と称する支脚やポケットの幅に比べて、狭い幅を有する支脚やポケットを、幅狭と称した。
【００３０】
上述した実施例においては、容器Ｂの相対する短辺側壁２ａ、２ｂに、支脚ｃ３、ｃ４及びポケットｐ３、ｐ４を形成した例を示したが、このような支脚ｃ３、ｃ４及びポケットｐ３、ｐ４を省略することもできる。このように、容器Ｂの相対する短辺側壁２ａ、２ｂに、支脚ｃ３、ｃ４及びポケットｐ３、ｐ４が形成されていない場合には、スライドスタッキングの際に、スライド方向前方の短辺側壁２ｂには、支脚ｃ４が形成されていないので、相対する短辺側壁２ａ、２ｂのフランジ４に形成された、フランジ４より一段下がった段部４ｃ、４ｄを形成する必要がないとともに、幅狭ポケットｐ１の開口部に連続して形成された段部４ｂの底面には、山部４ｂ’を形成する必要がない。なお、上述したように、スタッキングされた容器Ｂの水平方向の移動を制限し安定したスタッキングを実現するためには、上方の容器Ｂ１の幅広支脚ｃ１の嵌合凹部ｃ１’が嵌合するように、下方の容器Ｂ２の段部４ｂの底面には、山部４ｂ’を形成する。
【００３１】
なお、上述した実施例には、幅狭ポケットｐ１と幅広支脚ｃ１のペア及び幅狭支脚ｃ２と幅広ポケットｐ２のペアが、長辺側壁１ａ、１ｂに沿った容器Ｂの中心線に対して対称に配置された例が示されているが、同方向スタッキング及び異方向ネスティング可能であれば、このような配置に限定されるものではない。
【００３２】
【発明の効果】
本発明は、以上説明したように構成されているので、以下に記載する効果を奏することができる。
【００３３】
スライドスタッキングする上方の運搬用容器の幅広支脚が乗り越える、下方の運搬用容器の幅狭ポケットに隣接したフランジには、該幅狭ポケットに連続するとともに、上記フランジより一段下がった段部を形成したので、上方の運搬用容器の幅広支脚が、下方の運搬用容器の幅狭ポケットを、スムースに乗り越えることができ、従って、スムースなスライドスタッキングが可能となる。
【００３４】
スライドスタッキングする上方の運搬用容器の幅広支脚が乗り越える、下方の運搬用容器の幅狭ポケットに隣接したフランジには、該幅狭ポケットに連続するとともに、上記フランジより一段下がった、山部が突設された段部を形成し、且つ、上記相対する短辺側壁側のフランジと該短辺側壁の内壁とにより形成される角部には、スライドスタッキングの際に、短辺側壁に形成された上記支脚の下端部が挿入される、フランジより一段下がった段部を形成したので、上方の運搬用容器の幅広支脚が、下方の運搬用容器の幅狭ポケットを、スムースに乗り越えることができるとともに、スライド方向前方に位置する短辺側壁に形成された支脚が、短辺側壁の内壁に当接することなく、従って、スムースなスライドスタッキングが実現できる。
【００３５】
幅広支脚の下面に、運搬用容器の幅狭ポケットに隣接したフランジに形成された段部に突設された山部に嵌合する嵌合凹部を形成したので、多数の運搬用容器を、安定してスタッキングすることができる。
【００３６】
スライドスタッキングする上方の運搬用容器の幅広支脚が乗り越える、下方の運搬用容器の幅狭ポケットに隣接した幅広支脚の上方に位置するフランジの上面に、円弧状突起を形成するとともに、下方の運搬用容器の幅広ポケットに隣接した幅狭支脚の上方に位置するフランジの上面にも、円弧状突起を形成したので、スライド方向前方に位置する短辺側壁に形成された支脚が、短辺側壁の内壁に当接することなく、従って、スムースなスライドスタッキングが実現できる。
【００３７】
幅広支脚の下面に、幅広支脚の上方に位置するフランジの上面に形成された円弧状突起に嵌合する嵌合凹部を形成したので、多数の運搬用容器を、安定してスタッキングすることができる。
【００３８】
幅狭ポケットに隣接した容器中央寄りのフランジに、突起を突設したので、上方の運搬用容器の幅広支脚が、下方の運搬用容器の幅狭ポケットを、スムースに乗り越えることができる。
【図面の簡単な説明】
【図１】図１は本発明の運搬用容器の斜視図である。
【図２】図２は本発明の運搬用容器のスタッキング状態及びスライドスタッキング状態を示す正面図である。
【図３】図３は本発明の運搬用容器のスライドスタッキング状態を示す部分正面図である。
【図４】図４は図３と同様の本発明の運搬用容器のスライドスタッキング状態を示す部分正面図である。
【図５】図５は図３と同様の本発明の運搬用容器のスライドスタッキング状態を示す部分正面図である。
【図６】図６は本発明の運搬用容器のスタッキング状態を示す部分正面図である。
【図７】図７は図３と同様の本発明の運搬用容器のスライドスタッキング状態を示す部分正面図である。
【図８】図８は本発明の運搬用容器のスタッキング状態を示す部分正面図である。
【図９】図９は本発明の運搬用容器の他の実施例を示す斜視図である。
【図１０】図１０は図９に示されている運搬用容器のスライドスタッキング状態を示す部分正面図である。
【図１１】図１１は図９に示されている運搬用容器のスライドスタッキング状態を示す部分正面図である。
【図１２】図１２は図９に示されている運搬用容器のスタッキング状態を示す部分正面図である。
【図１３】図１３は本発明の運搬用容器の更に他の実施例を示す部分斜視図である。
【図１４】図１４は図１３に示されている運搬用容器のスライドスタッキング状態を示す部分正面図である。
【図１５】図１５は本発明の運搬用容器の更にまた他の実施例を示す部分斜視図である。
【図１６】図１６は図１５に示されている運搬用容器のスライドスタッキング状態を示す部分正面図である。
【符号の説明】
Ｂ・・・・・・・・運搬用容器
ｃ１・・・・・・・幅広支脚
ｃ２・・・・・・・幅狭支脚
ｐ１・・・・・・・幅狭ポケット
ｐ２・・・・・・・幅広ポケット
１ａ、１ｂ・・・・長辺側壁
２ａ、２ｂ・・・・短辺側壁
【図１】
0003977475.tif 000002
【図２】
0003977475.tif 000003
【図３】
0003977475.tif 000004
【図４】
0003977475.tif 000005
【図５】
0003977475.tif 000006
【図６】
0003977475.tif 000007
【図７】
0003977475.tif 000008
【図８】
0003977475.tif 000009
【図９】
0003977475.tif 000010
【図１０】
0003977475.tif 000011
【図１１】
0003977475.tif 000012
【図１２】
0003977475.tif 000013
【図１３】
0003977475.tif 000014
【図１４】
0003977475.tif 000015
【図１５】
0003977475.tif 000016
【図１６】
0003977475.tif 000017